(57)【特許請求の範囲】
【請求項１】
内側に袋部材が装着される集塵室及び電動送風機を有する掃除機本体と、前記集塵室の上部を覆う蓋体とを備え、
前記蓋体の前記集塵室側に相当する内側には前記袋部材に付着した塵埃を落とす押圧部材を設け、
該押圧部材は、当該電気掃除機の電源が切となると下方向へ移動して前記袋部材の外面を押すように動作し、
前記押圧部材は、当該電気掃除機の電源が入となると、前記袋部材が膨らむことにより上方向に押し上げる力Ｆ１が吸込風が前記押圧部材に形成された羽根部にあたって下方向へ押し出す力Ｆ２よりも大きくなることにより、上方向に移動するように動作し、
前記押圧部材が上方向に押し上げられている状態では、前記吸込風に対して前記羽根部の角度が急であり、前記押圧部材が下方向へ押し出されている状態では、前記吸込風に対して前記羽根部の角度が浅いことを特徴とする電気掃除機。
【請求項２】
請求項１において、
前記押圧部材は、当該電気掃除機の電源が入となると、前記袋部材が膨らむことにより上方向に押し上げる力Ｆ１が吸込風が前記押圧部材に形成された羽根部にあたって下方向へ押し出す力Ｆ２よりも小さくなることにより、下方向に移動するように動作し、
前記押圧部材は、当該電気掃除機の電源が入となると、前記押圧部材が上方向に移動する動作と下方向に移動する動作を繰り返すことにより、振動することを特徴とする電気掃除機。
【発明の詳細な説明】
【技術分野】
【０００１】
本発明は電気掃除機に関するものである。
【背景技術】
【０００２】
以下、図９を使って説明する。
【０００３】
従来の電気掃除機は、集塵室２０２に紙袋等の袋部材を設けて吸引した塵埃を集塵している。この塵埃が袋部材２０４の内側に張り付き、袋部材２０４は徐々に目詰りを始めて、次第に吸引力が低下してくる。更に、袋部材２０４の内部の圧力よりも、集塵室２０２内部の圧力の方が負圧として大きい為、袋部材２０４は集塵室２０２や蓋体１０１の内壁に張り付いてしまい、風の流れる空間が減少して吸引力が低下する原因になっていた。
【０００４】
そこで、袋部材２０４を振動させることで、袋部材２０４の内側表面に張り付いた塵埃を除塵する構造（例えば特許文献１、特許文献２参照）をつくり、袋部材２０４の目詰りを防ぎ、風の流れる空間の確保に関しては、集塵室２０２や蓋体１０１の内側に凸状のリブ７０１を設けて、風の流れる空間を確保している。
【０００５】
【特許文献１】特開2004-174048号公報
【特許文献２】特開平5-123号公報
【発明の開示】
【発明が解決しようとする課題】
【０００６】
上記記載の背景技術において、除塵を行う為の構造は、電源コードを引き出しの際の動きをギヤを介し、袋部材を除塵する動きに変換したものや、電気的な部品（モータやソレロイド）を用いて除塵を行っている為、構造が複雑になり、掃除機が大きくなる重くなるといった問題点を有していた（例えば、特許文献１、特許文献２参考）。
【０００７】
また、従来の技術では、袋部材の後方（電動送風機側）を除塵していたので、塵が袋部材下方へ落ちる前に再び除塵部へ付くことがあった。
【０００８】
本発明の目的は、上記問題を解決し、小型・軽量でかつ袋部材に目詰りした、塵埃を除塵することにより、吸引力の低下を防ぐ事が可能な、掃除機を提供することにある。
【課題を解決するための手段】
【０００９】
上記の目的を達成する為に、本発明の特徴とするところは、蓋体の集塵室側に相当する内側には袋部材に付着した塵埃を落とす押圧部材を設け、押圧部材は、電気掃除機の電源が切となると下方向へ移動して袋部材の外面を押すように動作し、電気掃除機の電源が入となると、袋部材が膨らむことにより上方向に押し上げる力Ｆ１が吸込風が押圧部材に形成された羽根部にあたって下方向へ押し出す力Ｆ２よりも大きくなることにより、上方向に移動するように動作し、そして、押圧部材が上方向に押し上げられている状態では、吸込風に対して羽根部の角度が急であり、押圧部材が下方向へ押し出されている状態では、吸込風に対して羽根部の角度が浅いことにある。
【発明の効果】
【００１３】
本発明によれば、蓋体に、袋部材に付着した塵埃を落とす押圧部材を設け、押圧部材は、電気掃除機の電源が切となると下方向へ移動して前記袋部材を押すように動作し、電気掃除機の電源が入となると、袋部材が膨らむことにより上方向に押し上げる力Ｆ１が吸込風が押圧部材に形成された羽根部にあたって下方向へ押し出す力Ｆ２よりも大きくなることにより、上方向に移動するように動作し、そして、押圧部材が上方向に押し上げられている状態では、吸込風に対して羽根部の角度が急であり、押圧部材が下方向へ押し出されている状態では、吸込風に対して羽根部の角度が浅いので、袋部材壁面へ張り付いた目詰りの原因となる塵を落とすことが可能となる。
【発明を実施するための最良の形態】
【００１４】
本発明の特徴とするところは、本体内部に集塵室と集塵袋と電動送風機と、集塵室を開閉する蓋体を有する電気掃除機において、蓋体の内側に吸引風の流れる流路空間を設ける可動可能な流路構成部材を設けたことにある。そして、流路構成部材をばねにより集塵袋方向へ押出す力を加えたことにある。又は、流路構成部材の上部を流れる吸引風を利用し、流路構成部材を集塵袋方向押出す力を加えたことにある。又は、流路構成部材を、斜めに配置し、更に、弾性変形を利用し、流路構成部材が可動しても再び元の斜めに配置した位置に戻るようにしたことにある。
本発明によれば、蓋体の内側に吸引風の流れる流路空間を設ける可動可能な流路構成部材を設け、流路構成部材を集塵袋方向へ動かす力を加える事により、電源を入れている際は集塵袋が流路構成部材を上方向へ持ち上げ、電源を切った際に、流路構成部材が下方向へ押され、集塵袋を潰すように動作する。これにより集塵袋壁面へ張り付いた、目詰りの原因となる塵を落とすことが可能となる。この際、袋部材の上部を除塵するので、除塵を行った塵を確実に下方へ落とすことが出来る。更に、流路構成部材が、蓋体との間に流路を設け、風の流れる空間を確保している。これらの効果により、吸引力の低下を防ぐことが可能となり、又、一つの流路構成部材で、除塵及び、風の流れる空間の確保を行うことが出来るので、構造が簡単になり、小型・軽量化へも有効である。また、流路構成部材が稼動するので、集塵袋が一杯になった場合でも、集塵量を減らすことが無い。
以下、本発明の実施の形態の一例を添付の図面に基いて説明する。
【００１５】
図２は、本発明の実施の形態の一例に係わる電気掃除機の全体外観図である。
【００１６】
吸口３０１から吸引された塵埃は延長管３０２、ホース３０３を通り掃除機本体２０１に集塵される。
【００１７】
図３は本発明の実施の形態の一例に係わる電気掃除機の本体断面図である。掃除機本体２０１の内部には集塵室２０２、電動送風機２０３を設けており、集塵室２０２には吸引した塵埃を集塵する袋部材２０４が装着されている。袋部材２０４には、硬質材料からなる支持体２０５を一体に設けており、この支持体２０５によって集塵室２０２に取り付けている。集塵室２０２上部には袋部材２０４を取出し可能に開閉可能な蓋体１０１を設けている。更に蓋体１０１の内側には袋部材２０４を通過し、蓋体１０１にそって流れる吸引風を清潔に保つための、フィルター１０２を備え、押圧部材としての流路構成部材１０３で蓋体１０１に取り付けている。
【００１８】
図４は本発明の実施の形態の一例に係わる電気掃除機の蓋体の図（蓋体を内側から見た図）である。フィルター１０２は流路構成部材１０３の内側にあるフィルターの収納部１０４に収納され、その外周には袋部材２０４（図示せず）が膨らんでも蓋体１０１内部と袋部材２０４の間で風の流れる流路が無くならないように流路空間１０５を設けている。
【００１９】
流路空間の入口１０６はフィルターの収納部１０２の側面に開口して電動送風機２０４（図示せず）への風の流れを確保している。図示した矢印の様に、吸引風は流路構成部材１０３の格子状の穴から入り、フィルター収納部の排気口１０８（図示せず）から電動送風機へ導かれるものもある。これにより、蓋体１０１に設けたフィルター１０２へ積極的に風がながれて、塵埃を通過して袋部材２０４から出た吸引風を清潔にする事が出来る。同時に流路空間の入口１０６から流路空間１０５へ常に吸引風が導かれ、袋部材２０４が膨らみ、蓋体１０１内部へ張り付くことによる吸引流路減少が原因の吸引力の低下を防ぐことが出来る。
【００２０】
図５は本発明の実施の形態の一例に係わる電気掃除機のフィルター保持部の図である。流路空間の入口１０６はフィルターの収納部１０４の外周に位置し、本実施の形態では、流路を２分岐している。流路空間の排気口１０７はフィルター１０２（図示せず）の後方に位置し、流路空間の入口１０６に対して、断面積が小さいが複数個設けることにより電動送風機２０４（図示せず）への風の流れを確保している。これにより、集塵室内に集塵可能な塵埃の容積を比較的減らすこと無く、吸引力の低下を防ぐとともに、積極的にフィルターに風を流す事が出来るので、吸引風を清潔に保つことが出来る。
【００２１】
図１は本発明の実施の形態の一例に係わる電気掃除機の本体断面の流路構成部材周辺の部分拡大図であり、図１aは膨らんだ集塵袋によって、流路構成部材が上部に押されている状態の図の一例であり、図１ｂが流路構成部材が集塵袋を潰している図の一例である。
【００２２】
電気掃除機２０１の電源を入れると、袋部材２０４内は吸込風が流入してくる為、圧力が高くなり膨らむ。袋部材２０４の支持体２０５は流路空間の入口１０６よりも電動送風機側（図示せず）へ位置しているので膨らんだ袋部材２０４によって流路空間の入口１０６が塞がれる事を防止している。又、流路空間の入口１０６から流路空間の排気口１０７までの長さ、つまり流路空間１０５の長さはフィルター収納部１０４よりも風の流れる方向（図示の矢印方向）に対して長く設けているので膨らんだ袋部材２０４によって、流路空間が塞がれることを防止している。
【００２３】
また、流路構成部材１０３は、蓋体１０１の爪部１０９及び、流路構成部材１０３の固定部４０３の接触する点を支点に全体、若しくはその一部が上下に動くようになっている。
【００２４】
図６aは本発明の実施の形態の一例に係わる電気掃除機の流路構成部材１０３及び、蓋体１０１の間にバネ４０１を組み込んだ図である。図６bは流路構成部材１０３が袋部材２０４によって押し上げられている状態の図６aにおけるA部拡大図であり、図６ｃは流路構成部材１０３がバネ４０１により押し下げられている状態の図６aにおけるA部拡大図である。
【００２５】
電気掃除機２０１の電源を入れると、袋部材２０４内は吸込風が流入してくる為、圧力が高くなり膨らみ、流路構成部材１０３を押し上げる。次に電気掃除機の電源を切ると、押し上げられていた流路構成部材１０３は、ばね４０１により押し下げられ、袋部材２０４を押圧する。これにより、袋部材２０４内側に付いている塵を落とすことができ、吸引風低下を減少させ、吸引効率を良化させることが出来るものとなる。
【００２６】
図７aは本発明の実施の形態の一例に係わる電気掃除機の流路空間の排気口１０７に羽根部４０２を設けた物である。
【００２７】
図７b、７cは流路構成部材１０１の羽根部４０２周辺の部分拡大図であり、図７bは袋部材が流路構成部材１０３を押し上げている状態であり、図７ｃは流路構成部材１０３が袋部材２０４を押圧している状態である。
【００２８】
電気掃除機の電源を入れると、袋部材２０４が膨らみ流路構成部材を押し上げる。この力をＦ１とする。次に、流路を流れる吸込風が流路構成部材の羽根部４０２にあたり、流路構成部材１０３を下方向へ押出す力Ｆ２が発生する。流路構成部材１０３が袋部材２０４により押し上げられている時は、吸引風に対し、羽根部４０２の角度が急になっている為、力の関係はＦ１＜Ｆ２となり、流路構成部材１０３は押し下げられ、袋部材２０４を潰す。次に流路構成部材１０３が押し下げられると、吸引風に対し、羽根部４０２の角度が浅くなる為、力の関係はＦ１＞Ｆ２ととなり、流路構成部材１０３は押し上げられる。以上を繰り返す事により、流路構成部材１０３が振動し、集塵袋内側に付いている塵を落とすことができ、吸引風低下を減少させ、吸引効率を良化させることが出来るものとなる。
【００２９】
図８aは本発明の実施の形態の一例に係わる電気掃除機の流路構成部材１０３の前方の固定部４０３を固定支持としたものである。更に流路構成部材１０３は、初期様態にて、モータ方向の袋部材２０４を押圧する方向に傾けて配置されている。
【００３０】
図８b、図８cは図８aの部分拡大図である。図８bは袋部材によって、流路構成部が押し上げられている状態であり、図８dは流路構成部が袋部材を押圧している状態である。
【００３１】
電気掃除機の電源を入れると袋部材２０４が膨らみ、流路構成部材１０３を押し上げる。しかし、流路構成要素は、固定部４０３により、固定されているのであ部が弾性変形をおこし、弾性エネルギーが溜まる。次に電気掃除機の電源を切ると、溜まっていた弾性エネルギーを用い、流路構成部材１０３は、袋部材を潰しながら元の位置へ戻る。これにより、集塵袋内側に付いている塵を落とすことができ、吸引風低下を減少させ、吸引効率を良化させることが出来るものとなる。
【００３２】
以上説明したように、袋部材上部に目詰りした塵埃を除塵するため、除塵した塵が再び除塵部へ付くことを、防止出来、更に積極的に、上部のフィルタへ吸込風を送る事が可能となる。
【００３３】
又、流路構成部材は、同時に除塵機能も有するため、小型化・軽量化の面においても有利である。
【図面の簡単な説明】
【００３４】
【図１】本発明の実施の形態の一例に係わる電気掃除機の本体断面の流路構成部材周辺の部分拡大図である。
【図２】本発明の実施の形態の一例に係わる電気掃除機の全体外観図である。
【図３】本発明の実施の形態の一例に係わる電気掃除機の本体断面図である。
【図４】本発明の実施の形態の一例に係わる電気掃除機の蓋体の図（蓋体を内側から見た図）である。
【図５】本発明の実施の形態の一例に係わる電気掃除機の流路構成部材の図である。
【図６ａ】本発明の実施の形態の一例に係わる電気掃除機の流路構成部材及び、蓋体の間にバネを組み込んだ図である。
【図６ｂ】流路構成部材が袋部材によって押し上げられている状態の図６aの部分拡大図である。
【図６ｃ】流路構成部材がバネにより押し下げられている状態の図６aの部拡大図である。
【図７ａ】本発明の実施の形態の一例に係わる電気掃除機の流路空間の排気口に羽根部を設けた流路構成部材の図である。
【図７ｂ】袋部材が流路構成部材を押し上げている状態の図７aのA-A断面図である。
【図７ｃ】流路構成部材が袋部材を押圧している状態の図７aのA-A断面図である。
【図８ａ】本発明の実施の形態の一例に係わる電気掃除機の流路構成部材の前方の固定部を固定支持としたものである。
【図８ｂ】袋部材が流路構成部材を押し上げている状態の図８aの部分拡大図である。
【図８ｃ】流路構成部材が袋部材を押圧している状態の図８aの部分拡大図である。
【図９】従来の電気掃除機の本体断面図である。
【符号の説明】
【００３５】
１０１…蓋体、１０２…フィルター、１０３…流路構成部材、１０４…収納部、１０５…流路空間、１０６…流路空間の入口、１０７…流路空間の排気口、１０８…フィルター収納部の排気口、１０９…流路構成部材の爪部、２０１…掃除機本体、２０２…集塵室、２０３…電動送風機、２０４…袋部材、２０５…支持体、３０１…吸口、３０２…延長間、３０３…ホース、４０１…バネ、４０２…羽根部、４０３…固定部、７０１…リブ。
【図１】
0004654019.tif 000002
【図２】
0004654019.tif 000003
【図３】
0004654019.tif 000004
【図４】
0004654019.tif 000005
【図５】
0004654019.tif 000006
【図６ａ】
0004654019.tif 000007
【図６ｂ】
0004654019.tif 000008
【図６ｃ】
0004654019.tif 000009
【図７ａ】
0004654019.tif 000010
【図７ｂ】
0004654019.tif 000011
【図７ｃ】
0004654019.tif 000012
【図８ａ】
0004654019.tif 000013
【図８ｂ】
0004654019.tif 000014
【図８ｃ】
0004654019.tif 000015
【図９】
0004654019.tif 000016